(57)【特許請求の範囲】
【請求項１】
表示パネルに対してその背面側または前面側に導光板が配され、該導光板はその側端に光源が配され、該光源からの光をその内部を通して主面から出射させて前記表示パネルを照明する表示装置において、
前記導光板は主面を有する主体部と側端との間にクランク部を有し、該クランク部によって厚さ方向に屈曲され、
前記クランク部の主面側の傾斜角をθ1とし、反対側の面の傾斜角をθ2とし、導光板の屈折率をｎとし、光源からの伝播光が前記クランク部の主面側の傾斜面で反射する回数をｍとしたときに、
２ｍθ1−２（ｍ−１）θ2＜９０−２ａｒｃｓｉｎ（１／ｎ）
の関係を満たすことを特徴とする表示パネル。
【請求項２】
前記クランク部の主面側の傾斜面の傾斜角をθ1としたときに、
θ1＜９０−２ａｒｃｓｉｎ（１／ｎ）
であることを特徴とする請求項１に記載の表示パネル。
【請求項３】
前記導光板のクランク部の主面側の傾斜面の傾斜角をθ1としたときに、
θ1＜（９０−２ａｒｃｓｉｎ（１／ｎ））／２
であることを特徴とする請求項１に記載の表示パネル。
【請求項４】
表示パネルの背面側または前面側に配される導光板であって、その主面から出射する光によって前記表示パネルを照明する導光板において、
表面が前記主面を構成する主体部と光源からの光を入射させる側端との間にクランク部を有し、該クランク部によって厚さ方向に屈曲され、
前記クランク部の主面側の傾斜角度をθ1とし、反対側の面の傾斜角度をθ2とし、導光板の屈折率をｎとし、光源からの伝播光が前記クランク部の主面側の傾斜面で反射する回数をｍとしたときに、
２ｍθ1−２（ｍ−１）θ2＜９０−２ａｒｃｓｉｎ（１／ｎ）
の関係を満たすことを特徴とする導光板。
【請求項５】
前記クランク部の主面側の傾斜面の傾斜角をθ1としたときに、
θ1＜９０−２ａｒｃｓｉｎ（１／ｎ）
であることを特徴とする請求項４に記載の導光板
【請求項６】
前記クランク部の主面側の傾斜面の傾斜角をθ1としたときに、
θ1＜（９０−２ａｒｃｓｉｎ（１／ｎ））／２
であることを特徴とする請求項４に記載の導光板。
【発明の詳細な説明】
【技術分野】
【０００１】
本発明は、表示パネルに対してその背面側または前面側に導光板が配され、該導光板の主面から出射する光によって照明するようにした表示装置、およびこのような表示装置を照明するための照明光を導く導光板に関する。
【背景技術】
【０００２】
例えば特開平８−２８６０４３号公報や、特開平９−１６０５０７号公報に開示されているように、液晶表示装置の照明手段として、導光板と、この導光板の側端に配された光源とから成る照明装置が広く用いられている。この種の表示装置において、導光板は、光源からの光を光源から遠い方に導きながらしかも光源が対向する側端面とは直交する主面から出射されるように、底面が傾斜面になっている。
【０００３】
別の従来の照明装置を用いた液晶表示装置は、例えば図１に示される。ここでは光源１が、下面に反射板２を備える導光板３の側端面に対向して配されるようになっている。導光板３は、光源からの光を、光源に対して遠い方に導くとともに、厚さを薄くするために、光源１の近傍においてのみ上面を傾斜面４にしており、それ以外の面においては導光板３の表面を平坦面にしている。
【０００４】
上記導光板３の上面であって傾斜面４が形成されていない主面の上部には、偏光板５、液晶表示パネル６、および偏光板７が互いに重合わせて配されている。これらの偏光板５、７と液晶表示パネル６とによって液晶表示装置が構成されており、上記導光板３がこの液晶表示装置に対して背面照射型のバックライトを構成している。
【０００５】
このような従来の導光板３であって、とくに光源１側の上面を傾斜面４から構成した導光板３は、漏れ光８を発生し、これによって光の利用効率が低下する欠点がある。
【０００６】
図１Ｂに示すように、光源１からの光が導光板３の底面と平行な方向から傾斜面４に当たると、傾斜面４で全反射する。そしてこの後に全反射された光が導光板３の底面で全反射される。ところが傾斜面４に対する角度が、入射角θで全反射を行なっているために、底面では２θの入射角で全反射が行なわれ、これによって入射光が２θに相当する角度だけ法線方向に立上がる。
【０００７】
一方導光板３内を進行する光であって、傾斜面４あるいはこの導光板３の主面に至る光は、傾斜面４あるいは主面の臨界角以下の場合には主面から出射する。これに対して臨界角を超えている場合には傾斜面４あるいは主面で全反射する。そして導光板３を構成する材料がアクリル樹脂の場合には、その屈折率は１．４９２であるから、傾斜面４あるいは主面の法線に対する角度をａとすると、
ｓｉｎａ＝１／１．４９２
従ってａ＝４２．０９度以内の角度で傾斜面４あるいは主面に当たった光は、この主面から出射する。これに対して４２．０９度よりも大きな角度で主面に当たった光は、傾斜面４または主面で全反射されてさらに光源１から遠い方へ進行する。
【０００８】
一方、液晶表示装置の照明手段として、平板型の導光板３を用いた場合には、図２に示すようにこの導光板３の端部から入射した光は、導光板３の上下面において臨界角を超えることができないために、入射光はその結果全反射を繰返しながら導光板３内を伝播していく。従って導光板３の上下面の所定の位置にブラスト、プリズムやドット等の微小構造物を形成する表面処理を施すことによって、臨界角を超えた光を作り出し、該表面処理を施した部位において導光板３ら出射させることにより、面光源として使用できる。従って導光板３の表面処理を制御することによって、導光板からの出射光の分布を自在に調整することが可能になる。
【０００９】
一方、液晶表示装置のさらなる薄型化が要求される傾向にある。これに対応するために、例えば導光板３を図３に示すようなクランク形状にし、主面を有する主体部と光源１からの光を入射させる側端部との間にクランク部３ａを形成することが考察される。このような構成にすると、クランク部３ａによって生じた下側の空間に、フレキシブル配線板９等を配置することによって、この配線材９の厚み分、表示装置の厚さを薄くすることが可能になる。
【００１０】
ところが図４Ａに示すように、クランク部３ａの上面の傾斜角θ１と下面の傾 斜角θ２の角度を等しくしたクランク部を形成した導光板３によると、表面処理 を施さなくても、臨界角を超える光が発生することがある。これは、導光板３内に入射した光が、クランク部３ａの傾斜角θ１の傾斜面によって、導光板３内を 伝播する際の角度が２θ１だけ立上がってしまい、その結果、図４Ａに示すよう に、クランク部３ａの終端を過ぎた時点で光が臨界角を超えてしまい、この導光板３の上面から出射する漏れ光８が発生する。このことは、この光が導光板３の表面処理では制御できない出射光になり、これによって液晶表示装置の表示品位を著しく劣化させる原因になる。
【００１１】
そこで従来は、図３に示す光源１から表示エリアまでの距離を長くし、これによって出射光が表示品位に影響を与えないようにしていた。あるいはまたこのような出射光を無くすために、図４Ｂに示すように、クランク部３ａの長さを十分に長くとることによって、対処していた。
【００１２】
ところがこのような構成によると、光源１の入光部から表示エリアまでの距離を十分に長くする必要があり、これによって液晶表示パネルの外形を大きくする必要が生ずる。一方で近年の液晶表示装置は、狭額縁化に伴い、ＬＥＤから成る光源１から表示エリアまでの距離が短くなる傾向にあり、あるいはまた短くしなければならない要請が生じている。従ってクランク部３の長さ方向の寸法を逆に短くしなければならない。
【００１３】
一般にクランク部３の長さが短くなると、
θ１＞９０−２ａｒｃｓｉｎ（１／ｎ）となり、クランク部３の上面から出射し 、この結果表示品位の劣化が招来される。例えばポリカーボネート樹脂によって導光板を成形した場合に、その屈折率ｎ＝１．５９であるから、
θ１＝１３°＞９０−２ａｒｃｓｉｎ（１／１．５９）＝１２．１°
となって、クランク部３の斜面から出光する。従って狭額縁化モジュールの液晶表示装置において、ＬＥＤから成る光源の入射部の付近に不均一な光が発生し（図１１Ａ参照）、これによって表示品位が劣化する原因になる。
【特許文献１】特開平８−２８６０４３号公報
【特許文献２】特開平９−１６０５０７号公報
【発明の開示】
【発明が解決しようとする課題】
【００１４】
本願発明の課題は、表示品位に優れた表示装置、およびこのような表示装置に用いる導光板を提供することである。
【００１５】
本願発明の別の課題は、表示品位を損なうことなくしかも薄型化を可能にした表示装置、およびこのような表示装置に用いられる導光板を提供することである。
【００１６】
本願発明のさらに別の課題は、主面の所定の位置からのみしか出光することがなく、とくに光を入射させる側端から主面までの間の部分において光が出光しないようにした表示装置、およびこのような表示装置に用いられる導光板を提供することである。
【００１７】
本願発明のさらに別の課題は、光源からの光を入射させる側端から表示エリアまでの距離を十分に小さくし、しかもその間において制御できない出射光が出光するのを防止して表示品位を高めるようにした表示装置、およびこの表示装置に用いられる導光板を提供することである。
【００１８】
本願発明の上記の課題および別の課題は、以下に述べる本願発明の技術的思想、およびその実施の形態によって明らかにされる。
【課題を解決するための手段】
【００１９】
本願の主要な発明は、表示パネルに対してその背面側または前面側に導光板が配され、該導光板はその側端に光源が配され、該光源からの光を前記導光板の内部を通して主面から出射させて前記表示パネルを照明する表示装置において、
前記導光板は主面を有する主体部と側端との間にクランク部を有し、該クランク部によって厚さ方向に屈曲され、前記クランク部は主面側の傾斜角よりも反対側の面の傾斜角が大きいことを特徴とする表示装置に関するものである。
【００２０】
ここで、表示パネルが液晶表示パネルであってよい。また前記導光板が透明または半透明の合成樹脂成形体であってよい。また前記導光板の側端に配される光源が発光ダイオードであってよい。また前記導光板のクランク部の下側の空間に配線材が配されてよい。
【００２１】
本願の別の主要な発明は、表示パネルに対してその背面側または前面側に導光板が配され、該導光板はその側端に光源が配され、該光源からの光をその内部を通して主面から出射させて前記表示パネルを照明する表示装置において、
前記導光板は主面を有する主体部と側端との間にクランク部を有し、該クランク部によって厚さ方向に屈曲され、
前記クランク部の主面側の傾斜角をθ１とし、反対側の面の傾斜角をθ２とし、導光板の屈折率をｎとし、光源からの伝播光が前記クランク部の主面側の傾斜面で反射する回数をｍとしたときに、
２ｍθ１−２（ｍ−１）θ２＜９０−２ａｒｃｓｉｎ（１／ｎ）
の関係を満たすことを特徴とする表示パネルに関するものである。
【００２２】
ここで、前記クランク部の主面側の傾斜面の傾斜角をθ１としたときに、
θ１＜９０−２ａｒｃｓｉｎ（１／ｎ）
であってよい。また前記導光板のクランク部の主面側の傾斜面の傾斜角をθ１と したときに、
θ１＜（９０−２ａｒｃｓｉｎ（１／ｎ））／２
であってよい。
【００２３】
導光板に関する主要な発明は、表示パネルの背面側または前面側に配される導光板であって、その主面から出射する光によって前記表示パネルを照明する導光板において、
表面が前記主面を構成する主体部と光源からの光を入射させる側端との間にクランク部を有し、該クランク部によって厚さ方向に屈曲され、しかも該クランク部は主面側の傾斜角よりも反対側の面の傾斜角が大きいことを特徴とする導光板に関するものである。なおここで、導光板は透明または半透明の合成樹脂成形体であってよい。
【００２４】
導光板に関する別の主要な発明は、表示パネルの背面側または前面側に配される導光板であって、その主面から出射する光によって前記表示パネルを照明する導光板において、
表面が前記主面を構成する主体部と光源からの光を入射させる側端との間にクランク部を有し、該クランク部によって厚さ方向に屈曲され、
前記クランク部の主面側の傾斜角度をθ１とし、反対側の面の傾斜角度をθ２とし、導光板の屈折率をｎとし、光源からの伝播光が前記クランク部の主面側の傾斜面で反射する回数をｍとしたときに、
２ｍθ１−２（ｍ−１）θ２＜９０−２ａｒｃｓｉｎ（１／ｎ）
の関係を満たすことを特徴とする導光板に関するものである。
【００２５】
ここで、前記クランク部の主面側の傾斜面の傾斜角をθ１としたときに、
θ１＜９０−２ａｒｃｓｉｎ（１／ｎ）
であってよい。また前記クランク部の主面側の傾斜面の傾斜角をθ１としたとき に、
θ１＜（９０−２ａｒｃｓｉｎ（１／ｎ））／２
であってよい。
【発明の効果】
【００２６】
本願の主要な発明は、表示パネルに対してその背面側または前面側に導光板が配され、該導光板はその側端に光源が配され、該光源からの光を導光板の内部を通して主面から出射させて表示パネルを照明する表示装置において、導光板は主面を有する主体部と側端との間にクランク部を有し、該クランク部によって厚さ方向に屈曲され、クランク部は主面側の傾斜角よりも反対側の面の傾斜角が大きくしたものである。
【００２７】
従ってこのような表示装置によると、光源から側端に入射した光は、この導光板内を通って主面から出射される。そしてクランク部は主面側の傾斜角よりも反対側の面の傾斜角が大きいために、クランク部の主面側の表面から外部に光が出射することがなく、これによって表示装置の品位の劣化が防止される。
【００２８】
本願の別の主要な発明は、表示パネルに対してその背面側または前面側に導光板が配され、該導光板はその側端に光源が配され、該光源からの光をその内部を通して主面から出射させて表示パネルを照明する表示装置において、導光板は主面を有する主体部と側端との間にクランク部を有し、該クランク部によって厚さ方向に屈曲され、クランク部の主面側の傾斜角をθ１とし、反対側の面の傾斜角 をθ２とし、導光板の屈折率をｎとし、光源からの伝播光がクランク部の主面側 の傾斜面で反射する回数をｍとしたときに、
２ｍθ１−２（ｍ−１）θ２＜９０−２ａｒｃｓｉｎ（１／ｎ）の関係を満たすようにしたものである。
【００２９】
従ってこのような表示パネルによると、側端から入射した光がクランク部において全反射され、外部に漏れ光として出射することがなくなり、表示装置の品質の劣化が回避される。
【００３０】
導光板に関する主要な発明は、表示パネルの背面側または前面側に配される導光板であって、その主面から出射する光によって表示パネルを照明する導光板において、表面が主面を構成する主体部と光源からの光を入射させる側端との間にクランク部を有し、該クランク部によって厚さ方向に屈曲され、クランク部の主面側の傾斜角度をθ１とし、反対側の面の傾斜角度をθ２とし、導光板の屈折率をｎとし、光源からの伝播光がクランク部の主面側の傾斜面で反射する回数をｍとしたときに、
２ｍθ１−２（ｍ−１）θ２＜９０−２ａｒｃｓｉｎ（１／ｎ）の関係を満たすようにしたものである。
【００３１】
従ってこのような導光板によると、側端から入射した光がクランク部で外部に漏れ光として出射することがなく、クランク部の上下面において全反射しながら主体部側に伝播されることになり、主面から光を効果的に出射させることが可能になる。
【発明を実施するための最良の形態】
【００３２】
以下本願発明を図示の実施の形態によって説明する。図５Ａは背面照射型の液晶表示装置を示しており、ここでは一対のガラス板間に液晶を封入した液晶表示パネル１０が備えられ、液晶表示パネル１０の両側には偏光板１１、１２が配される。また下側の偏光板１２と対向するように断面が山形の突条を有するレンズシート１３が配される。なお図示の構成は単一のレンズシート１３を用いているが、２枚のレンズシートを用いるようにしてもよい。そしてレンズシート１３の下側に拡散板１４が配されるとともに、この拡散板１４の下側には、バックライトを構成する導光板１５が配される。導光板１５の下側にはさらに反射板１６が配され、下方に漏れた光を反射している。そして上記導光板１５の側端側には、発光ダイオード（ＬＥＤ）から成る光源２０が配される。また導光板１５のクランク部３０によって形成される空間に、フレキシブル基板１７が配される。
【００３３】
従ってこのような液晶表示装置によれば、光源２０からの光が導光板１５の側端からこの液晶表示装置１０内に導入され、導光板１５の主面において上方に出射され、拡散板１４およびレンズシート１３を通して液晶表示パネル１０内に入射され、これによって背面側から照明を行なって、表示動作を行なう。
【００３４】
図５Ｂは前面照射型の液晶表示装置を示しており、ここでは液晶を封入するとともに、一方のガラス板の内面に反射層２４を形成した反射型液晶表示パネル１０が用いられる。そしてこの液晶表示パネル１０の上面に位相差板２３が配され、さらにその上には偏光板１１が配される。そして上記偏光板１１の上側に、導光板１５を配するようにしている。ここでも導光板１５の側端にはＬＥＤから成る光源２０が配される。また導光板１５のクランク部３０によって形成される上側の空間に、フレキシブル基板１７が配される。従って光源２０が点灯されると、その光が導光板１５によって、偏光板１１および位相差板２３を通して液晶表示パネル１０に入射され、この液晶表示パネル１０の内面反射層２４で反射されて上方に出射する。そして出射する光が、透明な導光板１５を通して外部から見ることができ、表示動作が行なわれる。
【００３５】
このような液晶表示装置の液晶表示パネル１０の照明手段として用いられる導光板１５は、図６に示すように、発光ダイオードから成る光源２０からの光を入射させる側端の近傍にクランク部３０を有しており、クランク部３０において厚さ方向に屈曲している。このクランク部３０はその上面の傾斜角がθ１であって 下面の傾斜角がθ２になっている。なおここではθ１＜θ２となっている。
【００３６】
しかもこの導光板１５は、θ１が、
θ１＜９０−２ａｒｃｓｉｎ（１／ｎ）
の関係を満たし、しかも導光板１５のクランク部３０の上面の傾斜角θ１と下面 の傾斜角θ２とが、
２ｍθ１−２（ｍ−１）θ２＜９０−２ａｒｃｓｉｎ（１／ｎ）の関係を満たすようになっている。ここで、
ｎ：導光板の屈折率
ｍ：導光板１５内の伝播光がクランク部３０の上面で反射する回数
上記のような条件の導光板は、とくにクランク部３０の近傍において外部に漏れ光を出射することがない。これを以下に説明する。
【００３７】
図８において導光板１５の側端への入射光の入射角をα１とすると、導光板１ ５内の光の角度α２は、スネルの法則によってｎ＝ｓｉｎα１／ｓｉｎα２である から、
α２＝ａｒｃｓｉｎ（１／ｎ・ｓｉｎ（α１））
ここで、α２が最大となるのはα１＝９０°のときであって、この場合は、
α２＝ａｒｃｓｉｎ（１／ｎ）・・・（１）
また、この入射光がクランク部３０の上側の斜面に当るときの角度をβとすると、図８から明らかなように、α２＋β＋θ１＝９０°
よって
β＝９０−α２−θ１・・・（２）
ここで、
ｎ・ｓｉｎβ＞１・・・（３）
であれば、この入射光はクランク部３０の上側の斜面で全反射し、外部に漏れ光として出射することはない。上記（３）式に、式（２）および式（１）を代入すると、
ｎ・ｓｉｎ（９０−α２−θ１）＞１
ｎ・ｓｉｎ（９０−（ａｒｃｓｉｎ（１／ｎ）−θ１）＞１
（９０−（ａｒｃｓｉｎ（１／ｎ）−θ１）＞ａｒｃｓｉｎ（１／ｎ）
θ１＜９０−２・ａｒｃｓｉｎ（１／ｎ）・・・（４）
よって、θ１が式（４）を満たす場合には、クランク部３０の斜面からの漏れ光 が存在しないことになる。
【００３８】
また、このクランク部３０の斜面からの反射光の角度を、図８に示すようにφとすると、
φ＝９０−β＋θ１＝α２＋２θ１
となり、クランク部３０の斜面で１回反射すると、光の角度が２θ１だけ加算さ れて立上がることが分かる。
【００３９】
また図９において、クランク部３０の上側の斜面で角度φで反射された入射光が、クランク部３０の下側の斜面に当るときの角度をψとすると、
ψ＋φ＋（９０−θ２）＝１８０
よってψ＝９０＋θ２−φ
さらに、クランク部３０の下側の斜面からの反射光の角度を、図９に示すようにωとすると、ψ＋θ２＋ω＝９０
ω＝９０−θ２−ψ＝φ−２θ２
よって、クランク部３０の上面によって一旦２θ１だけ上側に起上がるように反 射された光が、クランク部３０の下面で反射する際は、−２θ２だけ倒れるため に、この導光板１５内を伝播する光は、見かけ上（２θ１−２θ２）だけ角度が変更された状態になる。このために、導光板１５のクランク部３０内でその上下面でそれぞれｍ回の反射を繰返すと、伝播光は、（２ｍθ１−２ｍθ２）だけ角度を変化させることになる。
【００４０】
また図７のように、クランク部３０の上側の面で最後に反射し、これによってクランク部３０を抜けた光は、クランク部３０の上側の斜面でｍ回反射し、クランク部３０の下側の斜面でｍ−１回反射することになるために、（２ｍθ１−２ （ｍ−１）θ２）だけ角度を変化された状態で右方の主体部を構成する平板部に 到達する。ここでクランク部３０の上下面の傾斜角が等しく、θ１＝θ２の場合には、上記の式は２θ１となる。
【００４１】
ここで、図８に示すように、主体部を構成する平板部に届いたときの光の角度をγとしたときに、
γ＝９０−φ＝９０−（α２＋２θ１）＝９０−ａｒｃｓｉｎ（１／ｎ）−２θ１ ＜ａｒｃｓｉｎ（１／ｎ）
すなわち、θ１＞（９０−２ａｒｃｓｉｎ（１／ｎ））／２
となると臨界角を超えてしまい、この導光板１５から出光してしまう。
【００４２】
逆にθ１とθ２との関係が、
（２ｍθ１−２（ｍ−１）θ２）＜（９０−２ａｒｃｓｉｎ（１／ｎ））
の式を満たしている場合には、導光板１５の上下面において臨界角を超えることは決してなく、導光板１５内の伝播光は見掛け上、図２に示す平板状の導光板と同じ状態になり、このために導光板１５から不用意な出射が起ることがない。従ってクランク部３０を有する導光板１５であっても、上記の条件を満たしていれば、導光板１５の表面処理によってのみ出光させることができ、この結果、クランク部３０の長さを長くすることなく、しかも良好な表示品位を得ることができる。
【００４３】
図１０Ａは、θ１＝θ２、かつ（９０−２ａｒｃｓｉｎ（１／ｎ））／２＞θ１ の場合の計算結果を示しており、導光板１５から不均一な光が出射している。これに対して図１０Ｂは、（２ｍθ１−２（ｍ−１）θ２）＜（９０−２ａｒｃｓｉｎ（１／ｎ））であって、しかも（９０−２ａｒｃｓｉｎ（１／ｎ））／２＞θ１の場合で、このときは導光板１５から不均一な光の出射は見られない。
【００４４】
上記のような理論を基として、実際に製作した導光板１５を用いた液晶表示装置の例を図１１に示す。図１１Ａは、θ１＝θ２＝６．４°＞（９０−２ａｒｃｓｉｎ（１／１．５９））／２＝６．０°の場合であって、この導光板１５の側端の発光ダイオード２０の近傍において、導光板１５に不均一な光が出光し、これによって表示品位が劣っていることが示される。
【００４５】
これに対して図１１Ｂは、θ１＝６．４°、θ２＝８．２°、ｍ＝２の場合であって、
２×３×６．４−２×（３−１）×８．２＝９．２°＜（９０−２×ａｒｃｓｉｎ（１／１．５９））＝２１．２°
となり、このために導光板１５の発光ダイオードから成る光源２０の部分で不均一な光の出光が見られず、均一な表示品位が得られていることが示される。従って導光板１５の上記のクランク部３０の上下面の傾斜条件が表示品位に対して高い効果を有することが確認された。
【００４６】
従って、上記実施の形態に係る導光板１５を用いた液晶表示装置によると、とくに導光板１５のクランク部３０の形状を上記の条件に設定することによって、狭額縁でありながら表示品位を均一に保った液晶表示装置を作製することが可能になる。
【００４７】
以上本願発明を図示の実施の形態によって説明したが、本願発明は上記実施の形態によって限定されることなく、本願発明の技術的思想の範囲内において各種の変更が可能である。例えば上記実施の形態における、クランク部３０を有する導光板１５の材料や、具体的な形状、あるいはその寸法等については、使用目的に応じて各種の変更が可能である。また上記導光板は、必ずしも液晶表示装置のみに用いられることなく、その他のパネル状表示装置の照明手段として利用可能である。
【産業上の利用可能性】
【００４８】
本願発明は、液晶表示装置に利用することができる。
【図面の簡単な説明】
【００４９】
【図１】従来の液晶表示装置と、その導光板の側面図である。
【図２】従来の平板型導光板の側面図である。
【図３】クランク状導光板を用いた照明手段の側面図である。
【図４】導光板のクランク部内における光の伝播を示す側面図である。
【図５】液晶表示装置の全体の構成を示す縦断面図である。
【図６】この液晶表示装置に用いられる導光板の側面図である。
【図７】導光板内における光の伝播を示す側面図である。
【図８】導光板のクランク部の上面における光の反射の状態を示す側面図である。
【図９】導光板のクランク部の下面における光の反射を示す側面図である。
【図１０】不均一な光が出射する導光板、および不均一な光が出射しない導光板の側面図である。
【図１１】不均一な漏れが生ずる導光板と、不均一な漏れが生じない導光板とを示す平面図である。
【符号の説明】
【００５０】
１…光源、２…反射板、３…導光板、３ａ…クランク部、４…傾斜面、５…偏光板、６…ＬＣＤ、７…導光板、８…漏れ光、９…フレキシブル配線板、１０…液晶表示パネル、１１、１２…偏光板、１３…レンズシート、１４…拡散板、１５…導光板、１６…反射板、１７…フレキシブル基板、２０…光源（発光ダイオード）、２３…位相差板、２４…内面反射層、３０…クランク部
【図１】
0004678253.tif 000002
【図２】
0004678253.tif 000003
【図３】
0004678253.tif 000004
【図４】
0004678253.tif 000005
【図５】
0004678253.tif 000006
【図６】
0004678253.tif 000007
【図７】
0004678253.tif 000008
【図８】
0004678253.tif 000009
【図９】
0004678253.tif 000010
【図１０】
0004678253.tif 000011
【図１１】
0004678253.tif 000012